(57)【要約】 【課題】操作を煩雑にすることなく、複数の画像の拡大表示が可能な表示装置を提供する。【解決手段】表示装置は、第１、第２画像データを表示する表示部を備える。表示部を駆動し、第１画像データに対応する第１画像ＦＰ１の一部を拡大表示した後、第２画像データに対応する第２画像を表示する場合に、第１拡大表示領域画像ＬＰ１の第１画像ＦＰ１に対する位置関係を特定し、特定した位置関係に基づいて、第２画像の拡大表示を行う制御部を備える。制御部は、第１拡大表示領域ＬＰ１の第１画像ＦＰ１に対する位置関係として、第１拡大表示領域ＬＰにおける基準点ＰＰの、第１画像ＦＰ１内の移動範囲（ｍｘ１、ｍｙ１）に対する位置関係を特定する。【選択図】図２
2008071027.tif 000002
【特許請求の範囲】
【請求項１】
第１、第２画像データを表示する表示部と、
前記表示部を駆動し、前記第１画像データに対応する第１画像の一部を第１拡大表領域として拡大表示した後、前記第２画像データに対応する第２画像を表示する場合に、前記第１拡大表示領域の前記第１画像に対する位置関係を特定し、前記特定した位置関係に基づいて、前記第２画像の拡大表示を行う制御部とを備え、
前記制御部は、前記第１拡大表示領域の前記第１画像に対する位置関係として、前記第１拡大表示領域における基準点の、前記第１画像内の移動範囲に対する位置関係を特定することを特徴とする表示装置。
【請求項２】
前記制御部は、前記基準点の前記第１画像内の移動範囲に対する位置関係に基づいて、前記第２画像における前記拡大表示を行う第２拡大表示領域の基準点を特定し、前記第２拡大表示領域の基準点に基づいて、前記第２拡大表示領域を特定することを特徴とする請求項１に記載の表示装置。
【請求項３】
前記第１拡大表示領域における基準点の前記第１画像内の移動範囲の横方向の長さは、前記第１画像の横方向の長さから前記第１拡大表示領域の横方向の長さを引いたものであり、縦方向の長さは、前記第１画像の縦方向の長さから前記第１拡大表示領域の縦方向の長さを引いたものであることを特徴とする請求項１に記載の表示装置。
【請求項４】
前記第１、第２拡大表示領域の縦横比は、前記表示部の表示領域の縦横比と等しいことを特徴とする請求項１に記載の表示装置。
【発明の詳細な説明】
【技術分野】
【０００１】
本発明は、表示装置に関し、特に拡大表示が可能な表示装置に関する。
【背景技術】
【０００２】
従来、特許文献１などの表示装置において、全体画像を表示する他、全体画像の一部を拡大して表示する機能を有する表示装置が提案されている。
【特許文献１】特開２００６−２０２１０６号公報
【発明の開示】
【発明が解決しようとする課題】
【０００３】
しかし、特許文献１などの表示装置では、拡大表示した画像から切り替えて他の画像を表示する場合には、拡大表示が解消されて全体表示されるか、拡大表示される場所が変えられて全体画像の中心などが拡大表示される。そのため、再度、同じ場所を拡大表示するために、方向キーなどを操作して拡大表示領域を再設定する必要があり、操作が煩雑であった。
【０００４】
したがって本発明の目的は、操作を煩雑にすることなく、複数の画像の拡大表示が可能な表示装置を提供することである。
【課題を解決するための手段】
【０００５】
本発明に係る表示装置は、第１、第２画像データを表示する表示部と、表示部を駆動し、第１画像データに対応する第１画像の一部を第１拡大表領域として拡大表示した後、第２画像データに対応する第２画像を表示する場合に、第１拡大表示領域の第１画像に対する位置関係を特定し、特定した位置関係に基づいて、第２画像の拡大表示を行う制御部とを備え、制御部は、第１拡大表示領域の第１画像に対する位置関係として、第１拡大表示領域における基準点の、第１画像内の移動範囲に対する位置関係を特定する。
【０００６】
好ましくは、制御部は、基準点の第１画像内の移動範囲に対する位置関係に基づいて、第２画像における拡大表示を行う第２拡大表示領域の基準点を特定し、第２拡大表示領域の基準点に基づいて、第２拡大表示領域を特定する。
【０００７】
また、好ましくは、第１拡大表示領域における基準点の第１画像内の移動範囲の横方向の長さは、第１画像の横方向の長さから第１拡大表示領域の横方向の長さを引いたものであり、縦方向の長さは、第１画像の縦方向の長さから第１拡大表示領域の縦方向の長さを引いたものである。
【０００８】
また、好ましくは、第１、第２拡大表示領域の縦横比は、表示部の表示領域の縦横比と等しい。
【発明の効果】
【０００９】
以上のように本発明によれば、操作を煩雑にすることなく、複数の画像の拡大表示が可能な表示装置を提供することができる。
【発明を実施するための最良の形態】
【００１０】
以下、本実施形態について、図を用いて説明する。撮像装置１は、デジタルカメラである。本実施形態は、撮像した画像を表示できるデジタルカメラを使って説明するが、制御部と表示部を備える他の装置であってもよい。
【００１１】
撮像装置１の撮像に関する部分は、操作部１０、制御部３０、撮影部５０、記録部７０、及び表示部９０を備える（図１参照）。操作部１０は、拡大表示及び縮小表示を行うダイヤルなどの拡大縮小キー１１と、拡大表示する領域を指定する四方向キーなどの方向キー１２、前後の画像と表示切り替えを行うページ送りキー１３を有する。方向キー１２を操作すると、表示部９０に表示された画像上に拡大表示枠が表示され、この拡大表示枠が方向キー１２の操作に対応して移動せしめられる。拡大表示枠は、後述する第１、第２拡大表示領域ＬＰ１、ＬＰ２を特定する領域で、拡大表示枠内の特定の位置（本実施形態では左上の角部）を基準点ＰＰとする。
【００１２】
被写体像は、レンズ（不図示）を介した光学像として、撮影部５０の撮像素子で撮像される。撮像された画像は、表示部９０に表示され、撮像された画像のデータは記録部７０に記録される。本実施形態では、記録部７０は、第１、第２画像データを記録し、表示部９０は、制御部３０の駆動に基づいて、第１、第２画像データに対応する第１、第２画像ＦＰ１、ＦＰ２を順に再生表示出来る。
【００１３】
図２は、横長の第１画像ＦＰ１と、拡大表示枠に対応する第１拡大表示領域ＬＰ１の位置関係を示す図であり、図３は、次に再生表示される、縦長の第２画像ＦＰ２と、拡大表示枠に対応する第２拡大表示領域ＬＰ２の位置関係を示す図である。
【００１４】
第１、第２画像ＦＰ１、ＦＰ２を表示部９０で表示する場合に、画像の全体を表示する全体表示と、画像の一部（第１、第２拡大表示領域ＬＰ１、ＬＰ２）を拡大して表示する拡大表示が可能である。
【００１５】
全体表示の場合は、制御部３０は、画像の縦横比を保持した状態で、画像の縦方向、横方向の少なくとも一方が表示部９０の表示領域と一致し、他方が表示領域以下になる状態で、表示部９０に表示する。例えば、画像の縦横比と、表示領域の縦横比が一致する場合（いずれも横長方向で縦横比が同じ）は、画像の縦方向、横方向の両方が表示領域と一致する状態で表示される。また、画像の縦横比と、表示領域の縦横比が一致しない場合（画像は縦長方向で、表示領域は横長方向）は、画像の縦方向が表示領域の縦方向の長さと一致し、画像の横方向が表示領域の横方向の長さに比べて短い状態で表示される。
【００１６】
拡大表示の場合は、使用者の拡大縮小キー１１、及び方向キー１２の操作によって設定された拡大表示枠に対応して、制御部３０は、全体表示で表示部９０に表示されている第１、第２画像ＦＰ１、ＦＰ２における拡大表示する第１、第２拡大表示領域ＬＰ１、ＬＰ２を、表示部９０の表示領域に拡大して表示する。
【００１７】
制御部３０は、表示部９０を駆動し、第１画像データに対応する第１画像ＦＰ１の一部を拡大表示した後、第２画像データに対応する第２画像ＦＰ２を表示する場合に、第１拡大表示領域ＬＰ１（拡大表示枠）の第１画像ＦＰ１に対する位置関係（拡大表示枠に対応する基準点ＰＰの第１画像ＦＰ１内の移動範囲に対する位置関係）を特定し、特定した位置関係に基づいて、第２画像ＦＰ２の拡大表示を行う。
【００１８】
基準点ＰＰの第１画像ＦＰ１内の移動範囲の横方向の長さは、第１画像ＦＰ１の横方向の長さから第１拡大表示領域ＬＰ１の横方向の長さを引いたもの、縦方向の長さは、第１画像ＦＰ１の縦方向の長さから第１拡大表示領域ＬＰ１の縦方向の長さを引いたもので特定される。
【００１９】
具体的には、拡大表示が行われた状態で、使用者によってページ送りキー１３の操作が行われると、制御部３０は、基準点ＰＰの、基準点ＰＰの第１画像ＦＰ１内の移動範囲に対する位置関係（原点ｐｏからの距離と移動範囲との割合）を特定する。基準点ＰＰの第１画像ＦＰ１内の移動範囲とは、拡大表示させるポイントとして指定可能な領域をいう。本実施形態では、基準点ＰＰは、第１拡大表示領域ＬＰ１（第２拡大表示領域ＬＰ２）における左上の端点であるとして説明するが、第１、第２拡大表示領域ＬＰ１、ＬＰ２内の同じ場所であれば、他の場所（例えば第１拡大表示領域ＬＰ１や第２拡大表示領域ＬＰ２の中心点）であってもよい。また、基準点ＰＰを特定するための、第１画像ＦＰ１の左上の端点を原点ｐｏとする。
【００２０】
全体表示している第１画像ＦＰ１の横方向の長さをＸ１、縦方向の長さをＹ１、第１拡大表示領域ＬＰ１の横方向の長さをａｘ１、縦方向の長さをａｙ１、基準点ＰＰの原点ｐｏからの横方向の長さをｘｘ１、縦方向の長さをｙｙ１とする。第１画像ＦＰ１の横方向の長さＸ１、縦方向の長さＹ１は、第１画像データの読込時に特定され、第１拡大表示領域ＬＰ１の横方向の長さａｘ１、縦方向の長さａｙ１は、第１画像ＦＰ１の大きさと予め設定された拡大表示する際の拡大率から算出される。第１拡大表示領域ＬＰ１の縦横比は、表示部９０の表示領域の縦横比と一致するように設定される。第１画像ＦＰ１の横方向の長さＸ１、縦方向の長さＹ１は、撮影時に、縦横センサによって検出される画像の向きと共に、第１画像データのヘッダ内に記録される。
【００２１】
第１画像ＦＰ１において、基準点ＰＰの横方向の移動範囲ｍｘ１は、Ｘ１―ａｘ１で表され、縦方向の移動範囲ｍｙ１は、Ｙ１−ａｙ１で表される。これにより、基準点ＰＰの原点ｐｏからの距離と移動範囲との割合は、横方向が第１割合ｒ１＝ｘｘ１÷（Ｘ１−ａｘ１）、縦方向が第２割合ｒ２＝ｙｙ１÷（Ｙ１−ａｙ１）で表される。制御部３０は、第１、第２割合ｒ１、ｒ２の値を内部メモリなどに一時記憶する。
【００２２】
基準点ＰＰの、基準点ＰＰの第１画像ＦＰ１内の移動範囲に対する位置関係（原点ｐｏからの距離と移動範囲との割合）に基づいて、制御部３０は、第１画像ＦＰ１の次の画像に相当する第２画像ＦＰ２に対応する第２画像データを記録部７０から読み出しし、表示部９０の表示領域に拡大表示する。
【００２３】
第２画像ＦＰ２の一部を拡大表示する際、制御部３０は、第２画像ＦＰ２の原点ｐｏから、基準点ＰＰの第２画像ＦＰ２の移動範囲に対して、横方向に第１割合ｒ１、縦方向に第２割合ｒ２の位置を基準点ＰＰとし、ここから横方向にａｘ２、縦方向にａｙ２の領域を第２拡大表示領域ＬＰ２として特定し、表示部９０の表示領域に拡大表示する。
【００２４】
全体表示している第２画像ＦＰ２の横方向の長さをＸ２、縦方向の長さをＹ２、第２拡大表示領域ＬＰ２の横方向の長さをａｘ２、縦方向の長さをａｙ２、基準点ＰＰの原点ｐｏからの横方向の長さをｘｘ２、縦方向の長さをｙｙ２とする。第２画像ＦＰ２の横方向の長さＸ２、縦方向の長さＹ２は、第２画像データの読込時に特定され、第２拡大表示領域ＬＰ２の横方向の長さａｘ２、縦方向の長さａｙ２は、第２画像ＦＰ２の大きさと予め設定された拡大表示する際の拡大率から算出される。第２拡大表示領域ＬＰ２の縦横比は、表示部９０の表示領域の縦横比と一致するように設定される。本実施形態では、第１画像ＦＰ１を拡大表示する際の拡大率と、第２画像ＦＰ２を拡大表示する拡大率は同じ値であるとして説明するが、異なる値であってもよい。第２画像ＦＰ２の横方向の長さＸ２、縦方向の長さＹ２は、撮影時に、縦横センサによって検出される画像の向きと共に、第２画像データのヘッダ内に記録される。
【００２５】
第２画像ＦＰ２の原点ｐｏから、基準点ＰＰの第２画像ＦＰ２の移動範囲に対して、横方向に第１割合ｒ１の長さ（位置）ｘｘ２は、（Ｘ２−ａｘ２）×ｒ１＝（Ｘ２−ａｘ２）×ｘｘ１÷（Ｘ１−ａｘ１）で表され、縦方向に第２割合ｒ２の長さ（位置）ｙｙ２は、（Ｙ２−ａｙ２）×ｒ２＝（Ｙ２−ａｙ２）×ｙｙ１÷（Ｙ１−ａｙ１）で表される。
【００２６】
これにより、第１画像ＦＰ１と、第２画像ＦＰ２が連続して拡大表示された場合に、それぞれの縦横比が異なったとしても、ほぼ同じ場所を拡大表示することが可能になる。それぞれの縦横比が同じ場合（Ｘ１：Ｘ２＝Ｙ１：Ｙ２、ａｘ１＝ａｘ２、ａｙ１＝ａｙ２）は、同じ場所を拡大表示することが可能になる。そのため、第１画像ＦＰ１と、第２画像ＦＰ２が同じ被写体で、縦横比が異なる場合や、画像サイズが異なる場合などに、拡大表示枠を移動させて基準点ＰＰを再設定することなく、同じ被写体のほぼ同じ場所の拡大画像を見ることが可能になる。
【００２７】
特に、第１画像ＦＰ１の四隅のいずれかを第１拡大表示領域ＬＰ１として拡大表示させた状態で、次の第２画像ＦＰ２を拡大表示させる場合に、第２画像ＦＰ２の四隅の同じ位置を第２拡大表示領域ＬＰ２として拡大表示させることが可能になる。
【００２８】
次に、本実施形態における拡大表示の流れを図４のフローチャートを用いて説明する。第１画像ＦＰ１が表示部９０の表示領域に全体画像が表示された状態で、拡大表示を行う操作（拡大縮小キー１１や方向キー１２の操作）が行われると、ステップＳ１１で第１画像ＦＰ１の一部（基準点ＰＰを含む拡大表示枠（第１拡大表示領域ＬＰ１））が拡大表示される。
【００２９】
ステップＳ１２で、ページ送りキー１３の操作が行われたか否か、すなわち異なる画像（第２画像ＦＰ２）を表示する操作が行われたか否かが判断される。行われない場合は、ステップＳ１２が繰り返され、行われた場合はステップＳ１３に進められる。
【００３０】
ステップＳ１３で、第１画像ＦＰ１における基準点ＰＰの位置が特定される。すなわち、基準点ＰＰの第１画像ＦＰ１の原点ｐｏからの横方向の距離ｘｘ１、及び縦方向の距離ｙｙ１が特定される。
【００３１】
ステップＳ１４で、第１画像ＦＰ１の横方向の長さＸ１、縦方向の長さＹ１、及び第１拡大表示領域ＬＰ１の横方向の長さａｘ１、縦方向の長さａｙ１に基づいて、第１画像ＦＰ１における基準点ＰＰの移動範囲が算出される。第１画像ＦＰ１における、基準点ＰＰの横方向の移動範囲ｍｘ１は、Ｘ１―ａｘ１で表され、縦方向の移動範囲ｍｙ１は、Ｙ１−ａｙ１で表される。
【００３２】
ステップＳ１５で、基準点ＰＰの移動範囲内の位置関係（原点ｐｏからの距離と移動範囲との割合）が計算され、第１、第２割合ｒ１、ｒ２が算出される。
【００３３】
ステップＳ１６で、第２画像ＦＰ２の横方向の長さＸ２、縦方向の長さＹ２、及び第２拡大表示領域ＬＰ２の横方向の長さａｘ２、縦方向の長さａｙ２に基づいて、第２画像ＦＰ２における基準点ＰＰの移動範囲が算出される。第２画像ＦＰ２における、基準点ＰＰの横方向の移動範囲ｍｘ２は、Ｘ２―ａｘ２で表され、縦方向の移動範囲ｍｙ２は、Ｙ２−ａｙ２で表される。
【００３４】
ステップＳ１７で、第１、第２割合ｒ１、ｒ２、及び第２画像ＦＰ２における基準点ＰＰの移動範囲に基づいて、第２画像ＦＰ２における基準点ＰＰの座標が算出される。すなわち、基準点ＰＰの第２画像ＦＰ２の原点ｐｏからの横方向の距離ｘｘ２、及び縦方向の距離ｙｙ２が算出される。
【００３５】
ステップＳ１８で、第２画像ＦＰ２における基準点ＰＰの座標、及び第２拡大表示領域ＬＰ２の横方向の長さａｘ２、縦方向の長さａｙ２に基づいて、第２画像ＦＰ２の一部（第２拡大表示領域ＬＰ２）が拡大表示される。
【００３６】
なお、横長の第１画像ＦＰ１の次に縦長の第２画像ＦＰ２を表示する形態を説明したが、再生表示する順序は逆であってもよい。
【図面の簡単な説明】
【００３７】
【図１】本実施形態における撮像装置の構成図である。
【図２】第１画像における第１拡大表示領域の位置関係を示す図である。
【図３】第２画像における第２拡大表示領域の位置関係を示す図である。
【図４】第１画像の第１拡大表示領域の表示から、第２画像の第２拡大表示領域を表示する過程を示すフローチャートである。
【符号の説明】
【００３８】
１  撮像装置
１０  操作部
１１  拡大縮小キー
１２  方向キー
１３  ページ送りキー
３０  制御部
５０  撮影部
７０  記録部
９０  表示部
ａｘ１、ａｘ２  第１、第２拡大表示領域の横方向の長さ
ａｙ１、ａｙ２  第１、第２拡大表示領域の縦方向の長さ
ＦＰ１、ＦＰ２  第１、第２画像
ＬＰ１、ＬＰ２  第１、第２拡大表示領域
ｍｘ１、ｍｘ２  第１、第２画像における、基準点の横方向の移動範囲
ｍｙ１、ｍｙ２  第１、第２画像における、基準点の縦方向の移動範囲
ＰＰ  基準点
ｐｏ  原点
Ｘ１、Ｘ２  第１、第２画像の横方向の長さ
ｘｘ１、ｘｘ２  第１、第２画像の基準点と、第１、第２画像の原点との横方向の距離
Ｙ１、Ｙ２  第１、第２画像の縦方向の長さ
ｙｙ１、ｙｙ２  第１、第２画像の基準点と、第１、第２画像の原点との縦方向の距離
【図１】
2008071027.tif 000003
【図２】
2008071027.tif 000004
【図３】
2008071027.tif 000005
【図４】
2008071027.tif 000006